(57)【要約】【課題】意匠性を向上させつつ、カバーが紛失しにくい照明器具を提供する【解決手段】光源ユニット５は、一面を露出させた状態で造営材に埋め込まれる器具本体９の内部において一面側に配置され、非常用電源４は、器具本体９の内部で且つ一面側において光源ユニット５と並べて配置される。カバー３は、器具本体９の一面を覆うようにして器具本体９に取り付けられる。器具本体９は、光源ユニット５からの光を通すための凹部２１１と、非常用電源４を通すための孔２１２を一面に有している。カバー３は、器具本体９の凹部２１１と対応する部位に光源ユニット５からの光を透過させる孔３１１を有し、器具本体９に取り付けられた状態のまま孔２１２を露出させる第１位置と孔２１２を塞ぐ第２位置との間で移動可能となっている。【選択図】図１
2015118738.tif 000002
【特許請求の範囲】
【請求項１】
一面を露出させた状態で造営材に埋め込まれる器具本体と、
前記器具本体の内部において前記一面側に配置される光源ユニットと、
前記器具本体の内部で且つ前記一面側において前記光源ユニットと並べて配置され、外部電源の停電時に電力を供給する非常用電源と、
前記外部電源が正常に供給されている状態では前記外部電源により前記非常用電源を充電し、前記外部電源が停電になると前記非常用電源により前記光源ユニットを点灯させる電源装置と、
前記一面を覆うようにして前記器具本体に取り付けられるカバーと、を備え、
前記器具本体は、前記光源ユニットからの光を通すための第１孔と、前記非常用電源を通すための第２孔とを前記一面に有し、
前記カバーは、前記器具本体の前記第１孔と対応する部位に前記光源ユニットからの光を透過させる透光部を有し、前記器具本体に取り付けられた状態のまま前記第２孔を露出させる第１位置と前記第２孔を塞ぐ第２位置との間で移動可能であることを特徴とする照明器具。
【請求項２】
前記カバーは、前記器具本体の前記一面に沿って移動させることで前記第１位置又は前記第２位置へ配置されることを特徴とする請求項１記載の照明器具。
【請求項３】
前記カバーは、前記器具本体の前記一面と交差する方向において前記一面から一定距離離した状態で前記一面に沿って移動させることで前記第１位置又は前記第２位置へ配置されることを特徴とする請求項２記載の照明器具。
【請求項４】
前記カバーは、前記第１位置に移動させた状態で前記器具本体の前記一面と交差する方向において前記第２孔と重なる窓孔を有していることを特徴とする請求項２又は３記載の照明器具。
【請求項５】
前記光源ユニットは、少なくとも一部が着脱可能であって、
前記窓孔は、前記光源ユニットにおける着脱可能な部位が通る開口寸法に設定されていることを特徴とする請求項４記載の照明器具。
【請求項６】
前記カバーは、前記器具本体の前記一面と平行な方向における一端部を回転中心として前記第１位置と前記第２位置との間で回転可能に前記器具本体に取り付けられていることを特徴とする請求項１記載の照明器具。
【発明の詳細な説明】
【技術分野】
【０００１】
本発明は、照明器具に関するものである。
【背景技術】
【０００２】
従来より、外部電源の停電時にバッテリを電源として光源を点灯させる非常用の照明器具が提供されている（例えば特許文献１参照）。
【０００３】
特許文献１に記載された照明器具は、天井面に埋め込まれる円筒状の器具本体を備え、器具本体の内部には、光源や点灯回路、バッテリなどが収納されている。また、器具本体の下面には、バッテリを交換する際にバッテリを挿通させる開口部が設けられており、開口部には、ヒンジピン等により器具本体に支持された開閉蓋が取り付けられている。
【０００４】
この照明器具においてバッテリを交換する際には、開閉蓋を開けてバッテリを入れ替えるだけでよく、バッテリ交換時の作業性がよいものである。
【先行技術文献】
【特許文献】
【０００５】
【特許文献１】特開２００６−１４００６６号公報
【発明の概要】
【発明が解決しようとする課題】
【０００６】
上述の特許文献１に示した照明器具では、開閉蓋が器具本体に支持されているため、バッテリを交換する際に開閉蓋を紛失しないものではあるが、開閉蓋の輪郭線が下側から見えてしまうため、意匠的に好ましいものではなかった。
【０００７】
本発明は上記問題点に鑑みて為されたものであり、その目的とするところは、意匠性を向上させつつ、カバーが紛失しにくい照明器具を提供することにある。
【課題を解決するための手段】
【０００８】
本発明の照明器具は、一面を露出させた状態で造営材に埋め込まれる器具本体と、前記器具本体の内部において前記一面側に配置される光源ユニットと、前記器具本体の内部で且つ前記一面側において前記光源ユニットと並べて配置され、外部電源の停電時に電力を供給する非常用電源と、前記外部電源が正常に供給されている状態では前記外部電源により前記非常用電源を充電し、前記外部電源が停電になると前記非常用電源により前記光源ユニットを点灯させる電源装置と、前記一面を覆うようにして前記器具本体に取り付けられるカバーと、を備え、前記器具本体は、前記光源ユニットからの光を通すための第１孔と、前記非常用電源を通すための第２孔とを前記一面に有し、前記カバーは、前記器具本体の前記第１孔と対応する部位に前記光源ユニットからの光を透過させる透光部を有し、前記器具本体に取り付けられた状態のまま前記第２孔を露出させる第１位置と前記第２孔を塞ぐ第２位置との間で移動可能であることを特徴とする。
【０００９】
この照明器具において、前記カバーは、前記器具本体の前記一面に沿って移動させることで前記第１位置又は前記第２位置へ配置されるのが好ましい。
【００１０】
また、この照明器具において、前記カバーは、前記器具本体の前記一面と交差する方向において前記一面から一定距離離した状態で前記一面に沿って移動させることで前記第１位置又は前記第２位置へ配置されるのも好ましい。
【００１１】
また、この照明器具において、前記カバーは、前記第１位置に移動させた状態で前記器具本体の前記一面と交差する方向において前記第２孔と重なる窓孔を有しているのも好ましい。
【００１２】
また、この照明器具において、記光源ユニットは、少なくとも一部が着脱可能であって、前記窓孔は、前記光源ユニットにおける着脱可能な部位が通る開口寸法に設定されているのも好ましい。
【００１３】
また、この照明器具において、前記カバーは、前記器具本体の前記一面と平行な方向における一端部を回転中心として前記第１位置と前記第２位置との間で回転可能に前記器具本体に取り付けられているのも好ましい。
【発明の効果】
【００１４】
本発明の構成によれば、カバーを第２位置に配置した状態では非常用電源を通すための第２孔をカバーにより閉塞しているので、従来例のように開閉蓋の輪郭線が見えるようなことがなく、意匠性を向上させることができるという効果がある。また、カバーを器具本体に取り付けた状態のまま第２孔を露出させ、第２孔を通して非常用電源を交換することができるので、カバーが紛失しにくいという効果もある。
【図面の簡単な説明】
【００１５】
【図１】本実施形態の照明器具の分解斜視図である。
【図２】同上を天井材に取り付けた状態の全体斜視図である。
【図３】同上に用いられるベース及びカバーの一部省略せる斜視図である。
【図４】（ａ）、（ｂ）は同上に用いられるカバーの動作説明図である。
【図５】（ａ）〜（ｃ）は同上に用いられるカバーの別の動作説明図である。
【図６】同上に用いられる別のベース及びカバーの斜視図である。
【図７】（ａ）、（ｂ）は同上に用いられるさらに別のカバーの動作説明図である。
【図８】（ａ）、（ｂ）は同上に用いられるまたさらに別のカバーの動作説明図である。
【発明を実施するための形態】
【００１６】
以下に、照明器具の実施形態について図１〜図８を参照しながら説明する。本実施形態の照明器具１０は、図２に示すように、天井材１００（造営材）に設けた埋込孔１００ａを通して天井に埋め込まれる天井埋込型の非常灯であって、商用電源（外部電源）が停電になると光源を点灯させる。なお、以下では特に断りがない限り、ケース１の長手方向を上下方向（開口部１１側が下側）と規定して説明を行う。
【００１７】
本実施形態の照明器具１０は、図１に示すように、ケース１と、ベース２と、カバー３と、非常用電源４と、光源ユニット５と、電源装置６と、一対の取付ばね７，７と、端子台８とを備える。
【００１８】
ケース１は、例えばアルミニウムなどの不燃材料からなり、上下方向に長い筒状に形成され、ケース１の下端には開口部１１が設けられている。また、ケース１において開口部１１寄りの外側面には、ベース２の各引掛部２３の引掛爪２３１（図２参照）が引っ掛けられる矩形の孔１２が、各引掛爪２３１と対応する位置に設けられている（図２では片方の孔１２のみ図示）。
【００１９】
ベース２は、例えばアルミニウムなどの不燃材料からなり、扁平且つ円柱状に形成された本体部２１を有し、本体部２１の下端には、外向きに延出する鍔部２２が全周に亘って設けられている。
【００２０】
本体部２１の底面には、光源ユニット５を収納するための凹部２１１（第１孔）と、非常用電源４を通すための孔２１２（第２孔）とが横並びに設けられている。また、本体部２１の底面には、後述するカバー３の引掛部３２が引っ掛けられる孔２１３と、後述する点検スイッチ６３，６４及びモニタランプ６５を露出させるための複数（図１では３個）の孔２１４とが設けられている。
【００２１】
さらに、本体部２１の側面には、一対の取付ばね７，７がそれぞれ取り付けられる一対のばね取付部２１５，２１５が、本体部２１の中心軸に対して対称な位置に設けられている（図２では片側のばね取付部２１５のみ図示）。また、本体部２１の上面には、先端に引掛爪２３１（図２参照）を有する引掛部２３，２３が、本体部２１の中心軸に対して対称な位置にそれぞれ設けられている（図１では片側の引掛部２３のみ図示）。
【００２２】
そして、ケース１の開口部１１を閉塞するようにして、ベース２をケース１に近づけていき、ベース２の各引掛部２３の引掛爪２３１をケース１の対応する孔１２に引っ掛けることで、ベース２がケース１に取り付けられる。ここに、本実施形態では、ケース１とベース２により器具本体９が構成されている。
【００２３】
カバー３は、例えば合成樹脂成型品であって、図３に示すように、円板状に形成された本体部３１を有し、本体部３１の外縁には、上向きに突出する突壁部３３が全周に亘って設けられている。また、本体部３１の上面には、上向きに突出する一対の引掛部３２，３２が一体に設けられている。本体部３１の底面には、ベース２の凹部２１１と対応する位置に円形の孔３１１（透光部）が設けられ、さらにベース２の孔２１４と対応する位置に孔３１２が設けられている。
【００２４】
また、引掛部３２，３２の先端には、互いに離れる向き（外向き）に突出する引掛爪３２１，３２１がそれぞれ設けられている。各引掛爪３２１は、図５（ａ）に示すように、側面視の形状が略三角形状であって、先端に近づくほど互いの間隔が狭くなるように傾斜する傾斜面が上下両側に設けられている。これらの傾斜面は、ベース２に対してカバー３を着脱する際の作業性を向上させるものである。
【００２５】
非常用電源４は、図１に示すように、上下方向に長い円筒状に形成された本体部４１を有し、本体部４１の内部には複数の蓄電池（図示せず）が上下方向に並べて収納されている。また、本体部４１の上端には、電源装置６との間を電気的に接続する接続部４２が設けられており、ケース１の底面に取り付けられた電源装置６の被接続部（図示せず）に接続部４２を接続することで、非常用電源４と電源装置６とが電気的に接続される。
【００２６】
この非常用電源４は、商用電源が正常に供給されている間は電源装置６により蓄電池が充電され、商用電源が停電になると蓄電池に蓄積させた直流電力を電源装置６に供給する。また、この非常用電源４は、器具本体９の内部で且つ器具本体９の開口部１１側において光源ユニット５と並べて配置される。
【００２７】
光源ユニット５は、図１に示すように、レンズ５１と、基板５２と、放熱シート５３と、保持金具５４とで構成される。基板５２の下面には発光ダイオード５２１が実装されており、発光ダイオード５２１を覆うようにして基板５２の下側にレンズ５１が配置されている。放熱シート５３は、発光ダイオード５２１で発生する熱を放熱するためのものであり、基板５２の後面に密着して取り付けられる。これらのレンズ５１、基板５２及び放熱シート５３は、保持金具５４により一体に組み付けられる。
【００２８】
一体に組み付けられた光源ユニット５は、レンズ５１が開口側、保持金具５４が底面側となる向きでベース２の凹部２１１内に収納される。この光源ユニット５は、商用電源の停電時に非常用電源４から供給される直流電力によって点灯し、商用電源が正常に供給されている状態では点灯しない。つまり、光源ユニット５は、商用電源の停電時にのみ点灯する非常用の光源である。
【００２９】
電源装置６は、図１に示すように、上下方向に長い矩形板状に形成された基板６１を有し、基板６１の一面（図１中の右面）には複数の電子部品６２が実装されている。これらの電子部品６２は、商用電源からの交流電力を所定の電圧値の直流電力に変換して非常用電源４の蓄電池に充電する充電回路と、非常用電源４の蓄電池に蓄積させた直流電力を光源ユニット５に供給して光源ユニット５を点灯させる給電回路とを構成する。
【００３０】
また、基板６１には、２種類の点検スイッチ６３，６４と、モニタランプ６５とが実装されている。点検スイッチ６３は、発光ダイオード５２１が点灯するか否かを点検するためのスイッチであり、点検スイッチ６４は、非常用電源４の蓄電池の充電状態を点検するためのスイッチである。
【００３１】
また、モニタランプ６５は、非常用電源４の蓄電池の充電状態を表示するものであり、例えばモニタランプ６５が緑色に点灯している場合には、上記蓄電池が充電されていることを示している。なお、上記蓄電池が充電されていない状態では、モニタランプ６５は点灯しない。
【００３２】
この電源装置６は、光源ユニット５に設けられたコネクタ（図示せず）が着脱自在に接続されるコネクタ（図示せず）を有しており、照明器具１０を組み立てた状態では、上記両コネクタを介して光源ユニット５と電源装置６とが電気的に接続される。
【００３３】
取付ばね７，７は、例えば板金に曲げ加工を施すことで長尺且つ矩形板状に形成され、ベース２のばね取付部２１５，２１５にそれぞれ取り付けられる。そして、取付ばね７，７とベース２の鍔部２２との間で天井材１００を挟み込むことで、照明器具１０が天井に取り付けられる（図２参照）。
【００３４】
端子台８は、従来周知の速結端子構造を有し、天井裏に先行配線された電源線（図示せず）が接続されるとともに、電源装置６の入力端子に接続された電線（図示せず）が接続される。
【００３５】
ところで、照明器具１０を天井材１００に取り付けた状態においてベース２が露出していると、孔２１２が下側から見えてしまうとともに、孔２１２を通して非常用電源４も見えてしまい、意匠的に好ましくない。そこで、本実施形態では、ベース２の下面（一面）を覆うようにしてカバー３がベース２に取り付けられるようになっている。そして、カバー３をベース２に取り付けることで、図２に示すように、孔２１２を覆うことができ、意匠性を向上させることができる。
【００３６】
ここで、ベース２の孔２１３は、図５（ａ）〜図５（ｃ）に示すように、カバー３の両引掛部３２，３２の間隔よりも内径が大きい小径部２１３ａと、小径部２１３ａの内径よりも内径が大きい大径部２１３ｂとで構成されている。その結果、上下方向における小径部２１３ａと大径部２１３ｂの間には、段部２１３ｃが設けられている。
【００３７】
次に、カバー３をベース２に取り付ける手順について説明する。図５（ｃ）に示すように、ベース２の本体部２１の孔２１３とカバー３の両引掛部３２，３２の位置を合わせた状態で、作業者がカバー３を上向きに押し込む。このとき、各引掛部３２の引掛爪３２１が孔２１３の開口端縁に接触することで、各引掛部３２が互いに近づく向きに撓められる。
【００３８】
図５（ｃ）に示す状態から、作業者がカバー３をさらに上向きに押し込むと、両引掛部３２，３２が孔２１３の内面に摺動しながら上側へ移動していく。そして、図５（ｂ）に示すように、各引掛部３２の引掛爪３２１が対応する段部２１３ｃに接触することで、カバー３がベース２に仮保持される。
【００３９】
図５（ｂ）に示す状態から、作業者がカバー３をさらに上向きに押し込むと、各引掛部３２の引掛爪３２１が、孔２１３の反対側（図５（ａ）中の上側）の開口端縁に引っ掛かり、カバー３がベース２に取り付けられる（図５（ａ）参照）。このとき、図５（ａ）に示すように、突壁部３３が天井材１００の下面に接触している。
【００４０】
さらに、ベース２からカバー３を取り外す手順について説明する。図５（ａ）に示す状態から、作業者がカバー３を下向きに引っ張ると、各引掛爪３２１が孔２１３の上側の開口端縁から外れ、各引掛爪３２１が対応する段部２１３ｃに接触する位置までカバー３が移動する（図５（ｂ）参照）。この状態では、カバー３がベース２に仮保持されている。
【００４１】
図５（ｂ）に示す状態から、作業者がカバー３をさらに下向きに引っ張ると、各引掛爪３２１が対応する段部２１３ｃから外れ、各引掛部３２が孔２１３の内面に摺動しながら下側へ移動していく。そして、両引掛部３２，３２が孔２１３から引き抜かれることで、カバー３がベース２から取り外される（図５（ｃ）参照）。
【００４２】
ところで、カバー３がベース２に取り付けられた状態（図４（ａ）参照）から、作業者がカバー３を下向きに引っ張ると、ベース２から一定距離離れた状態でカバー３が仮保持される（図４（ｂ）及び図５（ｂ）参照）。そして、この状態では、両引掛部３２，３２を回転中心として、ベース２の本体部２１の下面に沿ってカバー３を回転させることができ、カバー３を１８０度回転させた状態では孔２１２が露出した状態になる。これにより、カバー３をベース２に取り付けた状態のまま、孔２１２を通して非常用電源４を交換することができる。
【００４３】
ここに、本実施形態では、図４（ａ）に示すように孔２１２を塞ぐ位置が第２位置であり、図４（ｂ）に示す状態からカバー３を１８０度回転させた位置（つまり孔２１２を露出させる位置）が第１位置である。
【００４４】
図６は、本実施形態における別のベース２及びカバー３の斜視図である。本実施形態では、ベース２の本体部２１の下面に沿ってカバー３をスライドさせることで、カバー３が、ベース２の孔２１２を露出させる第１位置、又は、ベース２の孔２１２を塞ぐ第２位置に配置されるようになっている。以下、具体的に説明する。
【００４５】
ベース２は、図６に示すように、円板状に形成された本体部２１を有し、本体部２１の下側端縁には、側方に突出する一対のリブ２４，２４が設けられている。一方、カバー３は、円板状に形成された本体部３１を有し、本体部３１の外縁部分には、一対のリブ２４，２４がそれぞれ差し込まれる一対の溝部３４，３４が設けられている。
【００４６】
そして、左側からカバー３をベース２に近づけていき、各リブ２４を対応する溝部３４に差し込んだ状態のままカバー３を右側にスライドさせることで、カバー３がベース２に取り付けられる。このとき、ベース２の孔２１２は、カバー３の本体部３１によって塞がれている。
【００４７】
逆に、カバー３がベース２に取り付けられた状態から、カバー３を左側にスライドさせると、ベース２の孔２１２が露出した状態になり、孔２１２を通して非常用電源４を着脱することができる。このとき、カバー３がベース２から抜けないように、この位置で互いに接触する突起部（図示せず）をカバー３及びベース２に設けるのが好ましい。本構成によれば、ベース２に対してカバー３をスライドさせるだけで、非常用電源４を交換することができる。
【００４８】
図７は、本実施形態におけるさらに別のカバー３の動作説明図である。図７（ａ）は、ベース２の孔２１２を塞ぐ第２位置にカバー３を配置した状態を示し、図７（ｂ）は、ベース２の孔２１２を露出させる第１位置にカバー３を配置した状態を示している。以下、具体的に説明する。
【００４９】
ベース２は、上下方向に貫通する孔（図示せず）が本体部２１の底面中央に設けられている。一方、カバー３は、上向きに突出する引掛部（図示せず）が本体部３１の上面中央に設けられている。そして、カバー３の引掛部をベース２の孔に引っ掛けることで、カバー３がベース２に取り付けられる。
【００５０】
また、カバー３をベース２に取り付けた状態では、ベース２の底面に沿って、ベース２の孔２１２を露出させる第１位置（図７（ａ）に示す位置）と、ベース２の孔２１２を塞ぐ第２位置（図７（ｂ）に示す位置）との間でカバー３を回転させることができる。
【００５１】
そして、カバー３が第１位置にある状態では、上下方向（ベース２の底面と交差する方向）において孔３１１が孔２１２と重なっており、孔２１２を通して非常用電源４を着脱することができる。また、カバー３が第２位置にある状態では、カバー３の本体部３１によって孔２１２が塞がれている。ここに、本実施形態では、孔３１１により窓孔が構成されている。
【００５２】
つまり、本実施形態では、孔３１１で窓孔を兼用しているため、孔３１１の開口寸法は、非常用電源４を通すことができる寸法に設定するのが望ましい。また、光源ユニット５の少なくとも一部を着脱可能とした場合には、孔３１１の開口寸法は、光源ユニット５における着脱可能な部位及び非常用電源４を通すことができる寸法に設定するのが望ましい。
【００５３】
本構成によれば、光源ユニット５を露出させるために必要不可欠な孔３１１を利用して、非常用電源４を交換することができる。また、光源ユニット５の少なくとも一部を着脱可能とした場合には、カバー３を取り外すことなく、孔３１１を利用して取り外すこともできる。
【００５４】
図８は、本実施形態におけるさらに別のカバー３の動作説明図である。図８（ａ）は、ベース２の孔２１２を塞ぐ第２位置にカバー３を配置した状態を示し、図８（ｂ）は、ベース２の孔２１２を露出させる第１位置にカバー３を配置した状態を示している。以下、具体的に説明する。
【００５５】
カバー３は、図８（ａ）に示すように、ベース２の右端部に設けられた支持部２５によって回転自在に支持されている。また、カバー３の左端部近傍には、本体部３１の上面から上向きに突出する引掛部（図示せず）が設けられており、ベース２の本体部２１に設けられた孔（図示せず）に上記引掛部を引っ掛けることで、カバー３が閉じた状態でベース２に保持される。
【００５６】
図８（ａ）に示す状態から、作業者がカバー３を下向きに引っ張ると、カバー３の引掛部がベース２の孔から外れ、支持部２５を回転中心としてカバー３が回転し、ベース２の下面が露出した状態になる（図８（ｂ）参照）。そして、カバー３を開けた状態では孔２１２が露出しており、孔２１２を通して非常用電源４を着脱することができる。本構成によれば、カバー３を回転させるだけで非常用電源４を着脱することができる。
【００５７】
而して、本実施形態によれば、カバー３を第２位置に配置した状態では孔２１２がカバー３により塞がれており、意匠性を向上させることができる。また、カバー３を第１位置に配置した状態では孔２１２が露出しており、孔２１２を通して非常用電源４を交換することができる。
【００５８】
さらに、カバー３をベース２に取り付けた状態のまま、第１位置又は第２位置に移動させることができるので、カバー３が紛失しにくいという利点もある。また、ベース２を塗装する必要がある場合でも、カバー３を設けることでベース２の塗装レスが可能になる。
【００５９】
なお、本実施形態では、図７（ａ）及び図７（ｂ）に示すように、透光部を構成する孔３１１により窓孔を兼用したが、孔３１１とは別に窓孔を設けてもよく、本実施形態に限定されない。
【００６０】
本実施形態の照明器具１０は、器具本体９（ケース１及びベース２）と、光源ユニット５と、非常用電源４と、電源装置６と、カバー３とを備える。器具本体９は、下面（一面）を露出させた状態で天井材１００（造営材）に埋め込まれる。光源ユニット５は、器具本体９の内部において下面側に配置される。非常用電源４は、器具本体９の内部で且つ下面側において光源ユニット５と並べて配置され、商用電源（外部電源）の停電時に電力を供給する。電源装置６は、商用電源が正常に供給されている状態では商用電源により非常用電源４を充電し、商用電源が停電になると非常用電源４により光源ユニット５を点灯させる。カバー３は、器具本体９の下面を覆うようにして器具本体９に取り付けられる。器具本体９は、光源ユニット５からの光を通すための凹部２１１（第１孔）と、非常用電源４を通すための孔２１２（第２孔）とを下面に有する。カバー３は、器具本体９の凹部２１１と対応する部位に光源ユニット５からの光を透過させる孔３１１（透光部）を有し、器具本体９に取り付けられた状態のまま孔２１２を露出させる第１位置と孔２１２を塞ぐ第２位置との間で移動可能である。
【００６１】
また、本実施形態の照明器具１０のように、カバー３は、器具本体９の下面に沿って移動させることで第１位置又は第２位置へ配置されるのが好ましい。
【００６２】
また、本実施形態の照明器具１０のように、カバー３は、器具本体９の下面と交差する方向において下面から一定距離離した状態で下面に沿って移動させることで第１位置又は第２位置へ配置されるのが好ましい。
【００６３】
また、本実施形態の照明器具１０のように、カバー３は、第１位置に移動させた状態で器具本体９の下面と交差する方向において孔２１２と重なる孔３１１（窓孔）を有しているのが好ましい。
【００６４】
また、本実施形態の照明器具１０のように、光源ユニット５は、少なくとも一部が着脱可能であって、孔３１１は、光源ユニット５における着脱可能な部位が通る開口寸法に設定されているのが好ましい。
【００６５】
また、本実施形態の照明器具１０のように、カバー３は、器具本体９の下面と平行な方向における一端部を回転中心として第１位置と第２位置との間で回転可能に器具本体９に取り付けられているのが好ましい。
【符号の説明】
【００６６】
３  カバー
４  非常用電源
５  光源ユニット
９  器具本体
２１１  凹部（第１孔）
２１２  孔（第２孔）
３１１  孔（透光部）
【図１】
2015118738.tif 000003
【図２】
2015118738.tif 000004
【図３】
2015118738.tif 000005
【図４】
2015118738.tif 000006
【図５】
2015118738.tif 000007
【図６】
2015118738.tif 000008
【図７】
2015118738.tif 000009
【図８】
2015118738.tif 000010